(57)【要約】【課題】吊下げボルトから落下せず且つ工具との干渉を避けるために必要な長さに合わせることができる、吊下げボルト用のスペーサーを提供する。【解決手段】吊下げボルト５２用のスペーサー１は、筒状の第一スペーサー２と、筒状の第二スペーサー３と、を備え、第二スペーサー３は、構造物に吊下げられる吊下げボルト５２の軸方向に移動自在に設けられ、第一スペーサー２には、内面から径内方向に突出し吊下げボルト５２の雄ねじ部と係合する係合突起２１が設けられる。【選択図】図１
2015175390.tif 000002
【特許請求の範囲】
【請求項１】
筒状の第一スペーサーと、筒状の第二スペーサーと、を備え、
第一スペーサーは、構造物に吊下げられる吊下げボルトを挿通させる第一ボルト挿通孔と、第一スペーサーの軸方向の端面に形成される連結用凹部と、を有し、
第二スペーサーは、前記吊下げボルトを挿通させる第二ボルト挿通孔と、第二スペーサーの軸方向の端面に形成される連結用凸部と、を有し、
第二スペーサーは、前記吊下げボルトの軸方向に移動自在に設けられ、
第一スペーサーには、内面から径内方向に突出し前記吊下げボルトの雄ねじ部と係合する係合突起が設けられることを特徴とする吊下げボルト用のスペーサー。
【発明の詳細な説明】
【技術分野】
【０００１】
本発明は、吊下げボルト用のスペーサーに関する。
【背景技術】
【０００２】
従来、浴室天井に形成された取付け開口に、浴室天井の裏に吊下げられる吊下げボルトを用いて設置される浴室暖房乾燥機が知られている（例えば特許文献１参照）。
【０００３】
浴室暖房乾燥機は、外郭を形成し吊下げボルトが挿通するボルト挿通孔を有するケーシング本体と、ケーシング本体を下方から覆うグリル板と、を備える。
【先行技術文献】
【特許文献】
【０００４】
【特許文献１】特開２００９−１６２２４８号公報
【発明の概要】
【発明が解決しようとする課題】
【０００５】
特許文献１に記載されている発明の浴室暖房乾燥機のケーシング本体内には、浴室暖房乾燥機を構成する種々の構成部品が収納される。このとき、構成部品がケーシング本体の下方に突出して配設されることにより、ケーシング本体の上下方向の寸法を小さくし、ケーシング本体の小型化が図られていた。
【０００６】
しかし、吊下げボルトに固定ナットを螺合しケーシング本体を固定する際、スパナ等の工具の把持部が構成部品と干渉してしまう。工具と構成部品の干渉を回避するため、工具を小刻みに動かし、吊下げボルトに固定ナットを螺合していたが、作業効率が悪化してしまう。
【０００７】
そこで、ケーシング本体のボルト挿通孔が形成される内フランジと固定ナットとの間にスペーサーを配設し、固定ナットをスペーサーの下方に位置させることにより、工具と構成部品の干渉を回避することが考えられた。しかし、作業者は、吊下げボルトに固定ナットを螺合する際、スペーサーが落下しないように支持しなければならず、作業を行い難いものであった。
【０００８】
本発明は上記従来の問題点に鑑みて発明したものであって、その目的とするところは、吊下げボルトから落下せず且つ工具との干渉を避けるために必要な長さに合わせることができる、吊下げボルト用のスペーサーを提供することを課題とするものである。
【課題を解決するための手段】
【０００９】
上記課題を解決するために請求項１に係る発明は、筒状の第一スペーサー２と、筒状の第二スペーサー３と、を備え、第一スペーサー２は、構造物に吊下げられる吊下げボルト５２を挿通させる第一ボルト挿通孔２２と、第一スペーサー２の軸方向の端面に形成される連結用凹部２３ａと、を有し、第二スペーサー３は、吊下げボルト５２を挿通させる第二ボルト挿通孔３２と、第二スペーサー３の軸方向の端面に形成される連結用凸部３３ａと、を有し、第二スペーサー３は、吊下げボルト５２の軸方向に移動自在に設けられ、第一スペーサー２には、内面から径内方向に突出し吊下げボルト５２の雄ねじ部と係合する係合突起２１が設けられることを特徴とするものである。
【発明の効果】
【００１０】
本発明の吊下げボルト用のスペーサーでは、第一スペーサーの内面に吊下げボルトの雄ねじ部と係合する係合突起が形成される。係合突起が吊下げボルトの雄ねじ部に係合されることにより、第一スペーサーが吊下げボルトから落下しないようになる。従って、第一スペーサーが吊下げボルトから落下しないように、第一スペーサーが支持される必要がなくなる。また、スペーサーの必要な長さに応じて、第一スペーサーのみを用いるか、第一スペーサーに第二スペーサーを連結して用いるかを作業者が選択することができる。
【図面の簡単な説明】
【００１１】
【図１】（ａ）は第一スペーサーと第二スペーサーに分解した第一の実施形態のスペーサーを上方から視た分解斜視図であり、（ｂ）は第一スペーサーと第二スペーサーに分解した第一の実施形態のスペーサーを下方から視た分解斜視図である。
【図２】第一の実施形態のスペーサーを用いた浴室乾燥暖房機の浴室天井への取付けを説明する分解斜視図である。
【図３】固定ナットと第一の実施形態のスペーサーを用いて浴室乾燥暖房機を吊下げボルトに固定したときの拡大斜視図である。
【図４】第二の実施形態のスペーサーを用いた浴室乾燥暖房機の浴室天井への取付けを説明する分解斜視図である。
【図５】固定ナットと第二の実施形態のスペーサーを用いて浴室乾燥暖房機を吊下げボルトに固定した拡大斜視図である。
【発明を実施するための形態】
【００１２】
以下、本発明の第一の実施形態について図１乃至図３に基づいて説明する。
【００１３】
吊下げボルト５２は、建物躯体等の構造物に固定され、鉛直方向に吊下げられる。
【００１４】
吊下げボルト５２に取付けられるスペーサー１は、本実施形態では、筒状の第一スペーサー２と、筒状の第二スペーサー３と、を備える。第一スペーサー２と第二スペーサー３は、図１（ａ），（ｂ）に示すように、円筒状となっており、略円環状の外形をしているが、その形状は限定されない。第一スペーサー２と第二スペーサー３は、本実施形態では、樹脂で射出成形により形成される。なお、第一スペーサー２と第二スペーサー３の、材質と製造方法は限定されない。
【００１５】
第一スペーサー２は吊下げボルト５２を挿通させる第一ボルト挿通孔２２を有し、第二スペーサー３は吊下げボルト５２を挿通させる第二ボルト挿通孔３２を有する。第一ボルト挿通孔２２と第二ボルト挿通孔３２は、吊下げボルト５２の外径よりも若干大きく形成される。第一ボルト挿通孔２２と第二ボルト挿通孔３２の軸方向の一方の端部の縁は、径内方向に行く程他方の端部側に位置するように傾斜している。第一ボルト挿通孔２２と第二ボルト挿通孔３２の軸方向の他方の端部の縁は、径内方向に行く程一方の端部側に位置するように傾斜している。
【００１６】
第一スペーサー２では、図１（ａ）に示すように、第一スペーサー２の軸方向の一方の端部には第一当接面２３が形成され、図１（ｂ）に示すように、第一スペーサー２の軸方向の他方の端部に下面２４が形成される。
【００１７】
第一当接面２３には、連結用凹部２３ａが形成される。連結用凹部２３ａは、第一当接面２３に八ヵ所形成されるが、その数は限定されない。連結用凹部２３ａが形成されることにより、第一スペーサー２が除肉され第一スペーサー２を軽量化することができる。
【００１８】
連結用凹部２３ａにより、第一スペーサー２と第二スペーサー３が当接する面を作業者が誤認し難くなる。
【００１９】
第一スペーサー２には、本実施形態では、図１（ａ）に示すように、その内面から径内方向に突出し、吊下げボルト５２の雄ねじ部と係合する係合突起２１が設けられる。
【００２０】
係合突起２１は、断面略三角形状に形成されるが、その形状は限定されない。係合突起２１の第一スペーサー２の径内方向の長さは、係合突起２１が吊下げボルト５２に引掛りながら作業者が第一スペーサー２を押し込め且つ引出せると共に、吊下げボルト５２の雄ねじ部に係合できる長さとなる。係合突起２１は、第一スペーサー２の内面に複数設けられてもよい。
【００２１】
第二スペーサー３では、図１（ａ）に示すように、軸方向の一方の端部に凹没面３１が形成され、図１（ｂ）に示すように、軸方向の他方の端部に第二当接面３３が形成される。
【００２２】
第二当接面３３には、連結用凸部３３ａが形成される。連結用凸部３３ａは、第二当接面３３の四ヵ所に形成されるが、その数は限定されない。連結用凸部３３ａの底面視の形状は、図１（ｂ）に示すように、略矩形状になっており、連結用凹部２３ａと同様の形状をしている。
【００２３】
凹没面３１には、凹没した除肉用凹部３１ａが形成される。除肉用凹部３１ａは、凹没面３１に八ヵ所形成されるが、その数は限定されない。除肉用凹部３１ａが形成されることにより、第二スペーサー３が除肉され第二スペーサー３を軽量化することができる。
【００２４】
除肉用凹部３１ａには、規制リブ３１ｂが設けられることが好ましい。規制リブ３１ｂは、除肉用凹部３１ａに別の第二スペーサーの連結用凸部３３ａが挿入されないために設けられる。規制リブ３１ｂは、平面視において、除肉用凹部３１ａの中間部に設けられる。なお、規制リブ３１ｂは、例えば除肉用凹部３１ａの対角線に沿って設けられてもよく、その形状や場所は限定されない。また、規制リブ３１ｂは、凹没面３１に八ヵ所形成される除肉用凹部３１ａの内の四ヵ所に配設されるが、規制リブ３１ｂの配設される数と場所は限定されない。
【００２５】
第二スペーサー３では、第二当接面３３に連結用凸部３３ａが設けられ、凹没面３１に除肉用凹部３１ａが設けられる。これにより、第一スペーサー２と第二スペーサー３が当接する面を作業者が誤認し難くなる。
【００２６】
第一スペーサー２の連結用凹部２３ａに第二スペーサー３の連結用凸部３３ａが挿入され、第一スペーサー２と第二スペーサー３が連結されることにより、本実施形態では、スペーサー１が形成される。
【００２７】
上記した構成の第一スペーサー２と第二スペーサー３が連結されたスペーサー１は、吊下げボルト５２に押し込まれると、係合突起２１が吊下げボルト５２の雄ねじ部に係合されるので、吊下げボルト５２から落下しない。従って、スペーサー１が吊下げボルト５２から落下しないように、スペーサー１を支持する必要がなくなる。スペーサー１の軸方向の一方の端面は第一スペーサー２の下面２４となり、スペーサー１の軸方向の他方の端面は第二スペーサー３の凹没面３１となる。これにより、作業者がスペーサー１の上下を逆にして、間違って吊下げボルト５２に取付け難くなる。
【００２８】
以下、図２及び図３に基づいて上記した構成のスペーサー１を用いて浴室暖房乾燥機６が浴室天井５に取付けられる場合について説明する。
【００２９】
浴室天井５には、浴室暖房乾燥機６のケーシング本体７が配置される平面視略矩形状をした取付け開口５１が形成される。
【００３０】
浴室天井５の裏の空間には、建物躯体等の構造物から取付け開口５１に向けて吊下げボルト５２が吊下げられる。
【００３１】
浴室暖房乾燥機６は、図２に示すように、外郭となる略矩形箱状をしたケーシング本体７と、ケーシング本体７内に収納される構成部品と、ケーシング本体７を下方から覆うグリル板（図示せず）と、で主体が構成される。
【００３２】
ケーシング本体７の四つの角部の下端縁には、内側に向けて突出する内フランジ７１が設けられる。内フランジ７１には、吊下げボルト５２を挿通させるボルト挿通孔７１ａが穿設される。また、ケーシング本体７の下端縁には、外側に向けて突出する外フランジ７２が設けられる。
【００３３】
浴室暖房乾燥機６のケーシング本体７は、吊下げボルト５２に固定される。吊下げボルト５２は、平面視において四つのボルト挿通孔７１ａに対応する位置となる取付け開口５１の四隅に向けてそれぞれ吊下げられる。
【００３４】
本実施形態の第一スペーサー２及び第二スペーサー３が連結されたスペーサー１を用いた、浴室暖房乾燥機６の取付けは以下に示すように行われる。
【００３５】
作業者は、送風のためのダクトや電気配線を浴室天井５の裏に這わせる。吊下げボルト５２へのケーシング本体７の固定は、作業者がケーシング本体７を下方より上方に持ち上げて、ケーシング本体７の四つのボルト挿通孔７１ａにそれぞれ吊下げボルト５２の下端部を挿通させる。作業者は、ケーシング本体７の外フランジ７２と浴室天井５の取付け開口５１の縁とを当接させる。作業者は固定ナット８を吊下げボルト５２に螺合しケーシング本体７を固定する際、まずスペーサー１を吊下げボルト５２に押し込み、第一スペーサー２の係合突起２１と吊下げボルト５２の雄ねじ部とを係合させ、内フランジ７１と当接させる。そして、作業者は、吊下げボルト５２の下端から固定ナット８を螺合させ、図３に示すように、ケーシング本体７をスペーサー１と共に吊下げボルト５２に固定する。作業者がケーシング本体７にグリル板を取付けることにより、浴室暖房乾燥機６は設置される。
【００３６】
上記した本実施形態の説明では、第一スペーサー２と第二スペーサー３が連結されたスペーサー１が吊下げボルト５２に取付けられる場合を示した。なお、第一スペーサー２のみで工具と構成部品の干渉を避けることが可能なときは、第一スペーサー２のみが用いられてもよい。このように、作業者は、工具との干渉を避けるために必要な長さに合わせて、スペーサー１として、第一スペーサー２のみを用いるか、第一スペーサー２及び第二スペーサー３を連結して用いるか、を選択することできる。
【００３７】
また、第二スペーサー３を第一スペーサー２と連結せず、第二スペーサー３のみを用いた場合、第二スペーサー３は作業者に支持されなければ吊下げボルト５２から落下してしまう。そのため、誤って第二スペーサー３のみを用いることに気付くことができ、第二スペーサー３の連結用凸部３３ａが他の構成部品に干渉してしまうことを防止することができる。
【００３８】
次に、第二の実施形態について図４及び図５に基づいて説明する。第二の実施形態は、第一の実施形態の変形例であり、第一の実施形態と同じ部分については同符号を付して説明を省略する。
【００３９】
本実施形態のスペーサー１は、第一実施形態の第二スペーサー３としての機能を有する円筒状の防振部材４を備える。
【００４０】
防振部材４は、第一スペーサー２及び固定ナット８に浴室暖房乾燥機６で発生する振動が伝播するのを防止する。防振部材４は、ゴムといった弾性を有する材質で形成されることが好ましい。
【００４１】
防振部材４は、軸方向とは垂直な方向から視たとき、Ｔ字状になっているが、その形状は限定されない。防振部材４は、第一スペーサー２と当接する当接部４１と、内フランジ７１のボルト挿通孔７１ａに挿入される挿入部４２と、当接部４１と挿入部４２を貫通し吊下げボルト５２を挿通させる挿通孔４３と、を有する。
【００４２】
当接部４１の外径と内径は、第一スペーサー２の外径と内径と等しく形成されているが、特に限定されない。当接部４１の軸方向の長さは、第一実施形態の第二スペーサー３の円筒部分の軸方向の長さと等しく設けられることが好ましい。
【００４３】
挿入部４２の外径は、当接部４１の外径より小さく形成されることが好ましい。これにより、当接部４１と挿入部４２を、作業者が誤認することを防ぐことができる。
【００４４】
第一スペーサー２の第一当接面２３と防振部材４の当接部４１とを当接させることで、本実施形態ではスペーサー１が形成される。なお、当接部４１には、第一スペーサー２の連結用凹部２３ａに挿入される凸部（図示せず）が形成されてもよい。これにより、第一スペーサー２と防振部材４が連結されることができる。
【００４５】
スペーサー１の挿入部４２がケーシング本体７のボルト挿通孔７１ａに挿入され、当接部４１と内フランジ７１が当接する。このとき、当接部４１と第一スペーサー２により、作業者が使用する工具と構成部品とが干渉しないようにすることができる。
【００４６】
上記した構成の第一スペーサー２と防振部材４を備えたスペーサー１は、浴室暖房乾燥機６で発生した振動を第一スペーサー２及び固定ナット８に伝播することを防止する。従って、第一スペーサー２と防振部材４を備えたスペーサー１は、振動により固定ナット８が吊下げボルト５２から外れてしまうことを防止することができる。
【符号の説明】
【００４７】
１    スペーサー
２    第一スペーサー
２１  係合突起
２２  第一ボルト挿通孔
２３  第一当接面
２３ａ  連結用凹部
２４  下面
３    第二スペーサー
３１  凹没面
３１ａ  除肉用凹部
３１ｂ  規制リブ
３２  第二ボルト挿通孔
３３  第二当接面
３３ａ  連結用凸部
４    防振部材
４１  当接部
４２  挿入部
４３  挿通孔
５    浴室天井
５１  取付け開口
５２  吊下げボルト
６    浴室暖房乾燥機
７    ケーシング本体
７１  内フランジ
７１ａ  ボルト挿通孔
７２  外フランジ
【図１】
2015175390.tif 000003
【図２】
2015175390.tif 000004
【図３】
2015175390.tif 000005
【図４】
2015175390.tif 000006
【図５】
2015175390.tif 000007